(57)【要約】【課題】冬季間における使用であっても冷感がなく、短時間で効果的に筋肉をほぐすことができるストレッチ台を提供する。【解決手段】所定間隔で凹溝２２が形成された台座２０と、台座２０に一端辺が回動自在に取り付けられると共に、台座２０に対向する面に所定間隔で凹溝３２が形成された踏板３０と、台座２０と踏板３０のそれぞれの凹溝２２、３２に嵌合させることにより台座２０と踏板３０との間に装着し、台座２０と踏板３０との傾斜角度を調節するための支持部材４０とにより構成されるストレッチ台１０であって、踏板３０の上面には、遠赤外線放出材料３８が配設されていることを特徴とするストレッチ台１０である。【選択図】        図５
2005006693.tif 000002
【特許請求の範囲】
【請求項１】
所定間隔で凹溝が形成された台座と、
該台座に一端辺が回動自在に取り付けられると共に、前記台座に対向する面に所定間隔で凹溝が形成された踏板と、
前記台座と踏板のそれぞれの凹溝に嵌合させることにより当該台座と前記踏板との間に装着し、当該台座と前記踏板との傾斜角度を調節するための支持部材とにより構成されるストレッチ台であって、
前記踏板の上面には、遠赤外線放出材料が配設されていることを特徴とするストレッチ台。
【請求項２】
前記遠赤外線放出材料には、ヒータが配設されていることを特徴とする請求項１記載のストレッチ台。
【請求項３】
前記遠赤外線放出材料と、前記ヒータは前記踏板に嵌め込み可能に形成されていることを特徴とする請求項２記載のストレッチ台。
【請求項４】
前記支持部材は、踏板側から台座側へ徐々に幅広になるようなテーパ状に形成されていると共に、前記台座の凹溝と凹凸嵌合する凸部と、前記踏板の凹溝に当接して嵌合可能な半球状部が形成されていることを特徴とする請求項１〜３のうちいずれか一項に記載のストレッチ台。
【請求項５】
前記台座は上面が開口する箱型に形成されていると共に、前記台座の凹溝が形成されている底面から立設する側壁に、前記支持部材に形成された凸部が嵌合可能な凹状溝が形成されていることを特徴とする請求項１〜４のうちのいずれか一項に記載のストレッチ台。
【発明の詳細な説明】
【０００１】
【発明の属する技術分野】
本発明は、ストレッチ台に関し、より詳細には、遠赤外線放出材料を備え、効率的に身体の筋肉を伸ばすことにより、健康的な身体の維持を可能にするストレッチ台に関する。
【０００２】
【従来の技術】
従来より、下肢のストレッチ運動をする際において、台座に対して傾斜させた踏板の上に立つだけで、効果的なストレッチ運動をすることが可能な下肢ストレッチング用器具が特許文献１に示されている。
【０００３】
【特許文献１】
登録実用新案公報第３０４７６４６号公報
【０００４】
特許文献１においては、台座板と踏板を蝶番で二枚貝状に結合し、蝶番を基点として台座板に対する踏板の角度が調整可能な下肢ストレッチング用器具が開示されている。これにより、簡単な操作で踏板の角度を調節し、踏板の上に静止直立するだけで、自分の体重が有効な運動負荷となり、短時間のストレッチ運動で両脚の筋肉や腱の伸展性を養うことが可能になる。
【０００５】
【発明が解決しようとする課題】
しかしながら、特許文献１に記載の考案に係る下肢ストレッチング用器具は、冬季においては踏板が冷たくなるため、ひんやり感をなくすためには、踏板に乗る前に、ある程度時間的余裕をもってストレッチング用器具に電源を供給して踏板部分を暖めておかなければならず、ストレッチ台に乗ることが億劫になり、これが原因でストレッチ運動自体が行われなくなってしまうおそれがあるという課題がある。
また、いくら短時間の使用でストレッチ運動の効果が現れるストレッチ台といえども、冬季間のように筋肉が冷え切っている状態で使用した場合には、筋肉が温まるのに時間がかかり、短時間でのスットレッチ効果が得られにくくなってしまうという課題もある。
さらには、踏板と台座との角度調節が可能になっているが、踏板傾斜調節板は複数種類のものを適宜選択して使用しなければならないため、調節板の取捨選択が煩雑であると共に、調節版の紛失の虞が高くなり、ひいては所望の角度に調整することができなくなってしまうといった課題もある。
【０００６】
本発明は、冬季間であっても、あらかじめ電源を投入しておかなくてもひんやり感がなく、継続的にストレッチ運動をする意欲を維持することが可能であると共に、冷え切った筋肉であっても素早く筋肉を温めることにより短時間で効果的なストレッチ運動が可能なストレッチ台を提供することを目的とする。
【０００７】
【課題を解決するための手段】
以上の課題を解決し、目的を達成するために、本発明者は種々の検討を行った結果、踏板に乗った際に生じるひんやり感を取り除くと共に、筋肉をほぐし易くするためのヒータを踏板に配設すればよいことに想到し、本発明を完成させた。
すなわち、本願発明は、所定間隔で凹溝が形成された台座と、該台座に一端辺が回動自在に取り付けられると共に、該台座に一端辺が回動自在に取り付けられると共に、前記台座に対向する面に所定間隔で凹溝が形成された踏板と、前記台座と踏板のそれぞれの凹溝に嵌合させることにより当該台座と前記踏板との間に装着し、当該台座と前記踏板との傾斜角度を調節するための支持部材とにより構成されるストレッチ台であって、前記踏板の上面には、遠赤外線放出材料が配設されていることを特徴とするストレッチ台である。
これによれば、踏板に配設された遠赤外線放出材料が人体の体温を反射するため、冬季等であっても、踏板に乗る際のひんやり感が大幅に軽減されるので、使用前に予め踏板を暖めておく必要がなく、いつでも思い立った時に快適にストレッチ台を使用することが可能になる。
【０００８】
また、遠赤外線効果により下肢の筋肉を素早くほぐし、従来品に比べてより短時間でストレッチ効果を得ることができる。
さらに、踏板と台座との角度を一枚の支持部材により調節することができるので、支持部材が紛失して、丁度良い角度調節ができなくなってしまう虞をなくすことができる。
【０００９】
また、前記遠赤外線放出材料には、ヒータが配設されていることが好ましい。
これによれば、ほとんどの場合において、踏板のひんやり感を無くすことができる。また、足を暖めることにより特に下半身の血行が促進され、新陳代謝が向上することから、より好適なストレッチ運動をすることが可能になる。
【００１０】
さらにまた、前記遠赤外線放出材料と、前記ヒータは前記踏板に嵌め込み可能に形成されていることが好ましい。
これによれば、メンテナンスが容易に行うことができると共に、分解清掃ができることから常に衛生的に使用することができる。
【００１１】
また、前記支持部材は、踏板側から台座側へ徐々に幅広になるようなテーパ状に形成されていると共に、前記台座の凹溝と凹凸嵌合する凸部と、前記踏板の凹溝に当接して嵌合可能な半球状部が形成されていることが好ましい。
これによれば、支持部材が踏板と台座のそれぞれに嵌合すると共に、踏板からの荷重を円滑に台座に伝達することができるため、体重が重い人が使用しても安定して使用することができる。
【００１２】
さらに、前記台座は上面が開口する箱型に形成されていると共に、前記台座の凹溝が形成されている底面から立設する側壁に、前記支持部材に形成された凸部が嵌合可能な凹状溝が形成されていることが好ましい。
これによれば、支持部材を常にストレッチ台と共に移動させることができるので、支持部材が紛失を防ぐことができる。
【００１３】
【発明の実施の形態】
本発明に係るストレッチ台の好適な実施の形態を添付図面に基づいて詳細に説明する。
図１は、本実施の形態におけるストレッチ台の平面図であり、図２は、同組立斜視図である。図３は同側面図であり、図４は図１のＡ−Ａ線における参考断面図である。また、図５は使用状態における側面図である。
本発明に係るストレッチ台１０は、一方の面に所定間隔の凹溝２２が形成された台座２０と、台座２０に一端辺が回動自在に取り付けられると共に、台座２０と対向する面（下面）に凹溝３２が形成され、上面側に、面状発熱体３４と、アルミニウムフィルム３５と、上面に扁平凸部３６が配設された遠赤外線を放出するセラミックス板３８とにより構成される踏板３０と、台座２０と踏板３０のそれぞれの凹溝２２、３２に嵌合させることにより台座２０と踏板３０との間の傾斜角度を調節するための支持部材４０とにより構成されている。なお、支持部材４０は、図４に示すように台座２０と踏板３０との間の隙間部分に収納可能になっている。
【００１４】
台座２０についてさらに説明する。
台座２０は、ストレッチ台１０の支持部に相当する部分であるため、耐荷力のある材料により形成されているのが好ましく、例えば強化プラスチック等により形成されるのが好適である。台座２０は、特に強化プラスチック等の樹脂でなくても、塩化ビニール等といった通常のプラスチック製としても良いのはもちろんであるが、この場合には、台座２０に金属板等の心材（図示せず）を配しておけば、耐荷力が確保できるため好ましい。
反面、重量制限を設けて使用するのであれば、上記のように合成樹脂を用いて強度を重視した構成にする必要がないので、ストレッチ台１０のひんやり感を軽減させるために、桐材などの木材を用いて台座２０を形成することもできるのはもちろん可能である。
【００１５】
台座２０は、踏板３０と略同じ平面形状をしていて、図２に示すように台座２０と踏板３０の一端辺どうしを蝶番５０により回動自在に接続されている。なお、桐材を用いる場合においては、蝶番５０に用いる締め付けボルトを台座２０の厚さ方向に貫通させて取り付けておけば、確実な取り付けができるので好適である。
【００１６】
台座２０の踏板３０に対向する面（即ち上面）には、図４、５に示すように踏板３０との角度調整用の凹溝２２が一定間隔で形成されている。凹溝２２の脇には、支持部材４０の配設位置に応じた台座２０と踏板３０との傾斜角度が表示されている。また、凹溝２２が形成されている面から立設された側壁２４には、凹溝２２と同サイズの凹状溝２５が配設されていて、後述する支持部材４０の凸部４２を差し込んで台座２０と踏板３０とにより形成される内部空間６０に収納することができる。さらに、台座２０の底面には脚２６が形成されていて、脚２６の先端部にはスベリ止めのゴム２８が配設されている。また、台座２０の上端面には磁石２９が配設されていて、踏板３０に配設された磁性体片３９と接着可能になっている。
【００１７】
踏板３０について説明する。
踏板３０は、蝶番５０により台座２０に回動自在に取り付けられている。踏板３０の台座に対向する面には台座２０の凹溝２２に一端部を嵌合させた支持部材４０の他端側を当接させる凹溝３２が所定の間隔で形成されている。図４、５に示すように凹溝３２は、球面状に形成されていて、同じく球面状に形成されている支持部材４０の上端部と互いに当接することにより略嵌合する。
踏板３０の上面には、図２に示すようにヒータとして面状発熱体３４を敷設し、その上に面状発熱体３４からの熱を均等に広げるためのアルミニウムフィルム３５が配設され、アルミニウムフィルム３５の上に遠赤外線を放出するセラミックス板３８を重ねて配設している。面状発熱体３４と、アルミニウムフィルム３５およびセラミックス板３８は、踏板３０の上面に形成された凹部３１に嵌合するように配設されているので、踏板３０の足を載せる部分を平坦面にすることができる。なお、凹部３１には、面状発熱体３４による熱気のこもりを防ぐための貫通孔３１ａが形成されている。
【００１８】
また、台座２０に取り付けられている側の端辺には、ストレッチ台１０に乗った際に、かかと部が支持されるかかと支持部３３が形成されている。かかと支持部３３にはかかとが当接するため、クッション材料（図示せず）を配設しておくことが好ましい。これによれば、台座２０と踏板の傾斜をきつくした場合において、自らの体重によりかかとがかかと支持部３３に押圧されて生じる不快感が除去されるので好適なストレッチ運動ができる。
【００１９】
本実施の形態においてヒータとして用いられる面状発熱体３４は、電源を供給すれば短時間で温度が上昇するので、寒冷地の冬季間においても使用したいときに電源を印加すれば、直ちにストレッチ台１０を快適な使用状態にすることができる。また、足を暖めることにより、下半身の血行を促進させることができ、新陳代謝が向上し、ストレッチ運動による筋肉のリラクゼーション効果に加え、体全体をリフレッシュさせる効果をも得ることができるので好適である。
さらに、面状発熱体３４は面状発熱体３４に用いるポリマの配合により、快適な温度となった際に電気抵抗を無限大に設定することが可能となる（ＰＴＣ特性という）。これにより、使用前にスイッチを投入しておくだけで、適温になれば自動的に電源の供給が抑制されるので、経済的な使用ができると共に、ストレッチ運動に専念することができる。
【００２０】
また、サーモスタット５２を凹部３１に配設して異常温度上昇が起きた際に自動的に電源をカットすることもできる。さらに、面状発熱体３４と電源の間に温度コントローラ５４を配設することにより、面状発熱体３４のＰＴＣ特性だけで温度の制御をすることなく、温度調整用の専用装置を配設することにより、確実な温度調整が可能になるため安全性が大幅に向上する。
【００２１】
さらに、温度コントローラ５４はヒータの温度を適宜調整することが可能であり、最大出力（最高温度）を設定した場合には、予め設定した時間で、面状発熱体３４に供給する電源を自動的に止めるようにプログラムされている。なお、最大出力（最高温度）設定時ではない場合においては、面状発熱体３４への電源供給は連続的になされる。
【００２２】
さらにまた、図４に示すように面状発熱体３４への電源を供給する配線５６と同じ厚さの発泡ポリウレタン等の柔軟なマット５８を踏板の凹部３１に中敷として配設すれば、配線５６による凹凸面がなくなり、平坦にすることができるので、使い心地を向上させることができる。
【００２３】
セラミックス板３８は、面状発熱体３４の上に配設されている。セラミックス板３８は、遠赤外線を放出する材料を混入して形成されている。本実施の形態においては、遠赤外線放出材料としてアルミナやジルコニアを用い、釉薬にトルマリンを混入させているが、これに限定されず、麦飯石やモズナ石、ゲルマニウム鉱石等の粉末を混入しても好適である。釉薬にトルマリンを混入させたことにより、遠赤外線効果だけでなく、マイナスイオンによるリフレッシュ効果を得ることもできるため特に好適である。
遠赤外線は人体に吸収されやすい波長であるため、たとえ筋肉が冷え切っていたとしても、短時間のストレッチ運動により筋肉をほぐすことができる。このことから、本実施の形態に係るストレッチ台１０を用いれば、手軽にしかも短時間の運動であっても筋肉を効率よくほぐすことができるので、自然と使用頻度が高まり継続的な使用も可能となるため、健康維持において非常に好適である。
【００２４】
このように遠赤外線を放出するセラミックス板３８としたことにより、冬季間における使用であっても、ストレッチ台１０に乗る際には体温が反射することによりひんやり感が軽減される。これにより、必ずしも面状発熱体３４を配設しなくてもひんやり感がなくなることもあるので、電源のないところであっても手軽にストレッチ運動をすることができる。
【００２５】
また、図３に示すようにセラミックス板３８の上面には、扁平凸部３６がマトリクス状に配設されている。扁平凸部３６に乗ることで、自体重により足裏にあるツボが適度に押圧されるため、リラックス効果が高められるのみならず、継続的に使用すれば、身体の自然治癒力による体質改善の効果が期待でき、体質改善や健康維持に大いに貢献する。
【００２６】
踏板３０には、取手３７が取り付けられている。取手３７は、踏板３０の側面に回動自在に取り付けられているので、本ストレッチ台１０を持ち運びする際において好都合である。
また、ストレッチ台１０を持ち運びをする際においては、台座２０の上端部に配設された磁石２９と磁性体片３９とが接着するため、台座２０と踏板３０とが閉合して形成される隙間部分６０に収納した部品が紛失してしまうことがないため好適である。
【００２７】
支持部材４０について説明する。
図６は支持部材の拡大説明図である。支持部材４０は、図５に示すように、台座２０と踏板３０の間に支え棒のようにして配設され、台座２０の凹溝２２と踏板３０の凹溝３２にそれぞれ半嵌合させて用いる。支持部材４０は、踏板３０の凹溝３２に当接して嵌合する球面状に形成された上端部から中途部までの間は、台座２０の凹溝２２に嵌合する下端部に向けて徐々に幅広になるテーパ状に形成されている。また、下端部には、凹溝２２と確実に凹凸嵌合するように嵌合用凸部４２が形成されている。
【００２８】
支持部材４０は、上端部下端部共に凹溝２２、３２にそれぞれ嵌合する形態ではあるが、踏板の凹溝３２と支持部材４０の上端部が共に球面状に形成されているので、球面状に形成された部分どうしが当接することにより嵌合している状態となる。このため、荷重のかかり方によって、踏板３０と支持部材４０との相対位置の関係を微妙に変化させることができるようになっている。一方下端部は、台座２０に形成されている角型の凹溝２２に確実に凹凸嵌合する形状に形成されているので、踏板３０からの荷重を確実に受け止めることができる。これらにより、常に最適な嵌合状態により踏板３０からの荷重を台座２０に伝達することができるので、体重が重い人が使用しても安定した状態を維持可能になるため好適である。
【００２９】
支持部材４０の未使用時においては、台座２０と踏板３０との間にある隙間部分（図４参照）６０に収納可能になっている。支持部材４０は凸部４２を台座２０に形成された凹状溝（図示せず）に凹凸嵌合させることができるので、支持部材４０は常にストレッチ台１０と共に移動するため、支持部材４０が紛失してしまうことがないため好適である。なお、本実施の形態においては、バッテリ７０を具備する使用形態であるため、支持部材４０を隙間部分６０に収納する際は、バッテリケースの側面に形成した凹溝７５ａに凸部４２を凹凸嵌合させる形態にしている。
【００３０】
本実施の形態に係るストレッチ台によれば、冬季にストレッチ台に乗る際に生じるひんやり感を緩和することができ、四季を通してストレッチ運動を快適に行うことができる。また、遠赤外線効果による効率的なストレッチ運動および新陳代謝の向上や、マイナスイオン効果によるリラクゼーション効果を得ることができる。
【００３１】
以上、本実施の形態におけるストレッチ台１０について詳細に説明してきたが、この実施の形態以外の構成であっても、本発明に係るストレッチ台１０を構成させることができる。
例えば、踏板３０を面状発熱体３４とアルミニウムフィルム３５とセラミックス板３８とを一体に形成しても良い。これによれば、持ち運びが簡単になるため、いつでもどこでもストレッチ運動をすることができるので、継続的な使用につながり、健康維持に好適である。
また、図２に示すようにバッテリ７０を配設しておけば、充電式での使用態様が可能になる。これにより、電源のないところであっても、使用することができるため好都合である。充電式で使用する場合には、充電池の残量を示すＬＥＤなどの表示装置があればなお好適である。また、バッテリ７０レスの使用形態であれば、使用可能場所に制限が生じるものの、低コストでのストレッチ台１０の提供が可能になる。
【００３２】
さらに、本実施の形態においてはヒータに面状発熱体３４を採用しているが、これに限定されるものではなく、ニクロム線ヒータを用いても良いのはもちろんである。これによれば、発熱効率は落ちるものの、製造コストを削減することが可能になり、販売価格もこれに伴って安価にすることができる。
さらにまた、ストレッチ台として使用するだけでなく、足温器としての利用も可能になるため、利用頻度が高くなり支出に十分見合う利用が可能なる。
【００３３】
また、スイッチ５４および配線５６支持部材４０と同様に、台座２０と踏板３０との隙間部分６０に収納することもできる。さらにはスイッチ５４のみを隙間部分６０に収納して配線５６は踏板の凹溝３２を通して踏板３０に巻きつけて保管することもできるので、収納性を高めることができる。
さらに、踏板の凹部３１には中敷をせずに配線を収納する収納溝を形成したり、凹部３１内の配線５６を平面配線にすれば、配線５６による凹凸面が形成されることを防止できる。
【００３４】
【発明の効果】
以上に説明したように、本願発明に係るストレッチ台を用いることにより以下のような効果が得られる。
すなわち、踏板に配設された遠赤外線放出材料が人体の体温を反射するため、冬季等であっても、踏板に乗る際のひんやり感が大幅に軽減されるので、使用前に予め踏板を暖めておく必要がなく、いつでも思い立った時に快適にストレッチ台を使用することが可能になる。また、遠赤外線効果により下肢の筋肉を素早くほぐし、従来品に比べてより短時間でストレッチ効果を得ることができる。
また、踏板と台座との角度を一枚の支持部材により調節することができるので、支持部材が紛失して、丁度良い角度調節ができなくなってしまう虞をなくすことができる。
【００３５】
さらに、遠赤外線放出材料の下面にヒータが配設されていることにより、ほとんどの場合において、踏板のひんやり感を無くすことができる。また、足を暖めることにより特に下半身の血行が促進され、新陳代謝が向上することから、より好適なストレッチ運動をすることが可能になる。
さらにまた、遠赤外線放出材料と、ヒータは踏板に嵌め込み可能に形成されていることにより、メンテナンスが容易に行うことができると共に、分解清掃ができることから常に衛生的に使用することができる。
【００３６】
また、支持部材は、踏板側から台座側へ徐々に幅広になるようなテーパ状に形成されていると共に、台座の凹溝と凹凸嵌合する凸部が形成されていることにより、支持部材が踏板と台座のそれぞれに凹凸嵌合すると共に、踏板からの荷重を円滑に台座に伝達することができるため、体重が重い人が使用しても安定して使用することができる。
さらには、支持部材を台座と踏板により形成された内部空間に収納可能に形成されているので、支持部材の紛失を防ぐことができる等といった著効を奏する。
【図面の簡単な説明】
【図１】本実施の形態に係るストレッチ台の平面図である。
【図２】本実施の形態に係るストレッチ台の組立斜視図である。
【図３】本実施の形態に係るストレッチ台の側面図である。
【図４】図１のＡ−Ａ線における参考断面図である。
【図５】使用状態における側面図である。
【図６】支持部材の拡大説明図である。
【符号の説明】
１０  ストレッチ台
２０  台座
２２  凹溝
２５  凹状溝
３０  踏板
３２  凹溝
３４  面状発熱体
３５  アルミニウムフィルム
３６  扁平凸部
３８  セラミックス板
４０  支持部材
４２  嵌合用凸部
５０  蝶番
【図１】
2005006693.tif 000003
【図２】
2005006693.tif 000004
【図３】
2005006693.tif 000005
【図４】
2005006693.tif 000006
【図５】
2005006693.tif 000007
【図６】
2005006693.tif 000008